(57)【要約】【課題】ワンセグ放送からフルセグ放送への切り替えが行われるとき、ワンセグ放送の映像および音声の欠落を防止できる「車載用デジタル放送受信装置およびフルセグ放送への切替方法」を提供する。【解決手段】ワンセグ放送からフルセグ放送への切り替えを行う際、ワンセグ放送およびフルセグ放送の双方を一時的に受信して両放送の映像と音声を出力させた後、フルセグ放送のみの受信に切り替えてフルセグ放送の映像と音声のみを出力させるようにすることにより、フルセグ放送に対して遅延しているワンセグ放送の映像や音声が、切り替え後のフルセグ放送の映像や音声と共に一時的に出力され続けるようにする。【選択図】図３
2014003352.tif 000002
【特許請求の範囲】
【請求項１】
フルセグ放送とワンセグ放送とを適宜切り替える機能を備えた車載用デジタル放送受信装置であって、
上記ワンセグ放送から上記フルセグ放送への切り替えが行われるか否かを判定する切り替え判定部と、
上記切り替え判定部により上記ワンセグ放送から上記フルセグ放送への切り替えが行われると判定された場合、上記ワンセグ放送および上記フルセグ放送の双方を一時的に受信した後、上記フルセグ放送のみを受信するように制御する受信制御部と、
上記切り替え判定部により上記ワンセグ放送から上記フルセグ放送への切り替えが行われると判定された場合、上記受信制御部の制御によって受信された上記フルセグ放送の映像および上記ワンセグ放送の映像の双方を一時的に表示させた後、上記受信制御部の制御によって受信された上記フルセグ放送の映像のみを表示させるように制御する映像表示制御部とを備えたことを特徴とする車載用デジタル放送受信装置。
【請求項２】
上記切り替え判定部により上記ワンセグ放送から上記フルセグ放送への切り替えが行われると判定された場合、上記受信制御部の制御によって受信された上記フルセグ放送の音声および上記ワンセグ放送の音声の双方を一時的に異なるスピーカから別々に出力させた後、上記受信制御部の制御によって受信された上記フルセグ放送の音声のみを出力させるように制御する音声出力制御部とを更に備えたことを特徴とする請求項１に記載の車載用デジタル放送受信装置。
【請求項３】
上記受信制御部の制御によって上記ワンセグ放送および上記フルセグ放送の双方を一時的に受信する時間は、少なくとも上記フルセグ放送に対する上記ワンセグ放送の遅延時間に相当する時間であることを特徴とする請求項２に記載の車載用デジタル放送受信装置。
【請求項４】
上記映像表示制御部は、上記受信制御部の制御によって受信された上記フルセグ放送の映像および上記ワンセグ放送の映像の双方を一時的に表示させる際に、上記ワンセグ放送の映像をフェードアウト表示させると同時に、上記フルセグ放送の映像をフェードイン表示させるように制御することを特徴とする請求項１に記載の車載用デジタル放送受信装置。
【請求項５】
上記音声出力制御部は、上記受信制御部の制御によって受信された上記フルセグ放送の音声および上記ワンセグ放送の音声の双方を一時的に異なるスピーカから別々に出力させる際に、上記ワンセグ放送の音声をフェードアウト出力させると同時に、上記フルセグ放送の音声をフェードイン出力させるように制御することを特徴とする請求項２に記載の車載用デジタル放送受信装置。
【請求項６】
フルセグ放送とワンセグ放送とを適宜切り替える機能を備えた車載用デジタル放送受信装置におけるフルセグ放送への切替方法であって、
上記車載用デジタル放送受信装置の切り替え判定部が、上記ワンセグ放送から上記フルセグ放送への切り替えが行われるか否かを判定する第１のステップと、
上記切り替え判定部により上記ワンセグ放送から上記フルセグ放送への切り替えが行われると判定された場合、上記車載用デジタル放送受信装置の受信制御部が、上記ワンセグ放送および上記フルセグ放送の双方を一時的に受信した後、上記フルセグ放送のみを受信するように制御する第２のステップと、
上記切り替え判定部により上記ワンセグ放送から上記フルセグ放送への切り替えが行われると判定された場合、上記車載用デジタル放送受信装置の映像表示制御部が、上記受信制御部の制御によって受信された上記フルセグ放送の映像および上記ワンセグ放送の映像の双方を一時的に表示させた後、上記受信制御部の制御によって受信された上記フルセグ放送の映像のみを表示させるように制御する第３のステップとを有することを特徴とするフルセグ放送への切替方法。
【請求項７】
上記第３のステップでは、上記映像表示制御部による映像の表示制御と同時に、上記車載用デジタル放送受信装置の音声出力制御部が、上記受信制御部の制御によって受信された上記フルセグ放送の音声および上記ワンセグ放送の音声の双方を一時的に異なるスピーカから別々に出力させた後、上記フルセグ放送の音声のみを出力させるように制御することを特徴とする請求項６に記載のフルセグ放送への切替方法。
【発明の詳細な説明】
【技術分野】
【０００１】
本発明は、車載用デジタル放送受信装置およびフルセグ放送への切替方法に関し、特に、車両の移動に伴いフルセグ放送とワンセグ放送とを適宜切り替える機能を備えた車載用デジタル放送受信装置に用いて好適なものである。
【背景技術】
【０００２】
日本の地上デジタル放送は、１つのチャンネルの周波数帯域幅が１３のセグメントに分かれた構造となっており、そのうち、ハイビジョン放送には１２セグメント、標準画質放送には４セグメントが割り当てられている。また、画面の小さい携帯電話や車載機などのモバイル端末用の放送には、画質より移動性を重視する観点から１セグメントだけが割り当てられている。
【０００３】
モバイル端末用の放送は、１セグメントを略して「ワンセグ放送」と呼ばれている。これに対し、１２セグメントの全てを利用して１番組を放送するハイビジョン放送や、１２セグメントを利用して最大３番組を放送する標準画質放送は「フルセグ放送」と呼ばれている。車両の現在位置に応じたチャンネルのデジタル放送を受信する際に、ワンセグ放送よりも画質の良いフルセグ放送をできるだけ受信できるようにすることが望まれている。
【０００４】
車載用デジタル放送受信装置では、ワンセグ放送とフルセグ放送とを電波の受信状況によって自動的に切り替える機能を搭載しているものが一般的である。すなわち、車載用デジタル放送受信装置では、電波の受信状況が良い場合には、ノイズに弱いが高品質であるフルセグ放送に切り替えられる。一方、電波の受信状況が悪い場合には、低品質であるがノイズに強いワンセグ放送に切り替えられる。
【０００５】
なお、ワンセグ放送とフルセグ放送とを切り替える際に映像が途切れてしまうという問題があり、それを解決することを目的とした発明が提案されている（例えば、特許文献１を参照）。特許文献１に記載の発明では、ワンセグ放送およびフルセグ放送の双方を受信しながら受信環境をチェックし、受信環境が悪化した場合はワンセグ放送のみを受信する。一方、ワンセグ放送およびフルセグ放送の双方を受信しながら受信環境をチェックし、受信環境が良好になった場合はフルセグ放送のみを受信する。これにより、ワンセグ放送とフルセグ放送との切り替えをシームレスに行うことができるようにしている。
【先行技術文献】
【特許文献】
【０００６】
【特許文献１】特開２００９−２７８４４６号公報
【発明の概要】
【発明が解決しようとする課題】
【０００７】
ところで、ワンセグ放送とフルセグ放送との圧縮形式の違いから、ワンセグ放送はフルセグ放送に対して放送タイミングが数秒ほど遅延している。したがって、電波の受信状況に応じて、ワンセグ放送とフルセグ放送との切り替えが行われた場合には、数秒間にわたって同じ内容が繰り返し出力されたり、あるいは、数秒間分の内容が欠落したりする状態が生じる。例えば、ワンセグ放送からフルセグ放送への切り替えが行われた場合、フルセグ放送の方がワンセグ放送より数秒出力タイミングが早いため、映像および音声に数秒間の欠落が生じてしまい、ユーザに視聴上の違和感を生じさせてしまうという問題があった。この問題は、上記特許文献１に記載の技術を用いても解決することができない。
【０００８】
本発明は、このような問題を解決するために成されたものであり、ワンセグ放送からフルセグ放送への切り替えが行われるとき、フルセグ放送に対してワンセグ放送が遅延しているために生じるワンセグ放送の映像および音声の欠落を防止できるようにすることを目的とする。
【課題を解決するための手段】
【０００９】
上記した課題を解決するために、本発明では、ワンセグ放送からフルセグ放送への切り替えを行う際、ワンセグ放送およびフルセグ放送の双方を一時的に受信して両放送の映像を表示させ、その後、フルセグ放送のみを受信してフルセグ放送の映像のみを表示させるようにしている。
【００１０】
本発明の他の態様では、ワンセグ放送からフルセグ放送への切り替えを行う際、ワンセグ放送およびフルセグ放送の双方を一時的に受信して両放送の音声を異なるスピーカから出力させ、その後、フルセグ放送のみを受信してフルセグ放送の音声のみを出力させるようにしている。
【発明の効果】
【００１１】
上記のように構成した本発明によれば、ワンセグ放送からフルセグ放送への切り替えが行われる場合、フルセグ放送に対して遅延しているワンセグ放送の映像や音声が、切り替え後のフルセグ放送の映像や音声と共に一時的に出力され続け、その後フルセグ放送の映像や音声のみの出力へと切り替えられる。そのため、ワンセグ放送からフルセグ放送への切り替えが行われるとき、フルセグ放送のみの出力へと直ちに切り替えると生じてしまうワンセグ放送の映像および音声の欠落を防止することができる。
【図面の簡単な説明】
【００１２】
【図１】本実施形態による車載用デジタル放送受信装置の構成例を示す図である。
【図２】ワンセグ放送からフルセグ放送への切り替えが行われる際の動作例を模式的に示す図である。
【図３】ワンセグ放送からフルセグ放送への切り替えが行われる際の動作例を模式的に示す図である。
【図４】本実施形態による車載用デジタル放送受信装置の動作例を示すフローチャートである。
【図５】本実施形態の変形例を説明するための図である。
【発明を実施するための形態】
【００１３】
以下、本発明の一実施形態を図面に基づいて説明する。図１は、本実施形態による車載用デジタル放送受信装置の構成例を示す図である。図１において、アンテナ１は、デジタル放送の電波を受信する。チューナ２は、アンテナ１によって受信したデジタル放送の電波から所望のチャンネルに合致した受信周波数の放送波信号を選択的に抽出して出力する。本実施形態ではダブルチューナ構成をとっており、ワンセグ放送とフルセグ放送とを同時に受信可能となっている。
【００１４】
ＯＦＤＭ復調部３は、チューナ２で受信した放送波信号をＯＦＤＭ（Orthogonal Frequency-Division Multiplexing）復調してトランスポートストリーム（Transport Stream：以下、ＴＳと記す）を得る。誤り訂正部４は、ＯＦＤＭ復調部３により復調されたＴＳに対して、伝送路で発生した誤りの訂正を実行する。
【００１５】
デマルチプレクサ部５は、多重化されているＴＳを分離して映像ストリーム、音声ストリームおよびデータストリームを得る。そして、デマルチプレクサ部５は、音声ストリームをオーディオデコーダ部６に出力し、映像ストリームをビデオデコーダ部７に出力し、データストリームをデータデコーダ部８に出力する。
【００１６】
ここで、データストリームには、受信チャンネルに関する情報、放送番組に関する情報、受信した信号の誤り率を表すＢＥＲ（Bit Error Rate）などが含まれている。受信チャンネルに関する情報には、受信中の放送がワンセグ放送かフルセグ放送かを示す階層情報が含まれている。
【００１７】
オーディオデコーダ部６は、入力した音声ストリームをデコードして音声信号としてスピーカ２１から出力する。ビデオデコーダ部７は、入力した映像ストリームをデコードして映像信号としてディスプレイ２２に出力する。データデコーダ部８は、入力したデータストリームをデコードして制御データとして制御部１０に出力する。
【００１８】
制御部１０は、車載用デジタル放送受信装置の全体の動作を制御する。すなわち、制御部１０は、チューナ２、ＯＦＤＭ復調部３、誤り訂正部４、デマルチプレクサ部５、オーディオデコーダ部６、ビデオデコーダ部７およびデータデコーダ部８の動作を制御する。
【００１９】
制御部１０は、その機能構成として、受信感度検出部１０ａ、チャンネル切替部１０ｂ、切り替え判定部１０ｃ、受信制御部１０ｄ、映像表示制御部１０ｅおよび音声出力制御部１０ｆを備えている。受信感度検出部１０ａは、例えばデータデコーダ部８から供給されるＢＥＲに基づいて、受信中の放送に関する受信感度を検出する。
【００２０】
チャンネル切替部１０ｂは、チューナ２における受信チャンネルや受信階層の切り替えを行う。例えば、チャンネル切替部１０ｂは、受信感度検出部１０ａにより検出される受信感度に応じて、フルセグ放送とワンセグ放送とを適宜切り替えて受信するようにチューナ２を制御する。具体的には、ＢＥＲの値が所定値より小さく受信感度が良好なときはフルセグ放送を受信し、ＢＥＲの値が所定値以上で受信感度が悪化したときはワンセグ放送を受信するように制御する。なお、本実施形態では、ワンセグ放送からフルセグ放送への切り替えを一気には行わず、ワンセグ放送およびフルセグ放送の双方を一時的に受信し、その後、フルセグ放送のみの受信に切り替えるようにしている。
【００２１】
切り替え判定部１０ｃは、チャンネル切替部１０ｂによってワンセグ放送からフルセグ放送への切り替えが行われるか否かを判定する。この判定は、例えば、ワンセグ放送からフルセグ放送へ切り替えることを示す切り替え通知をチャンネル切替部１０ｂから受けることによって行うことが可能である。または、データデコーダ部８から供給されるＢＥＲもしくは当該ＢＥＲに基づき受信感度検出部１０ａにより検出される受信感度に基づいて、ワンセグ放送からフルセグ放送への切り替えが行われるか否かを判定するようにすることも可能である。
【００２２】
受信制御部１０ｄは、切り替え判定部１０ｃによりワンセグ放送からフルセグ放送への切り替えが行われると判定された場合、ワンセグ放送およびフルセグ放送の双方を一時的に受信した後、フルセグ放送のみを受信するようにチャンネル切替部１０ｂを制御する。チャンネル切替部１０ｂは、受信制御部１０ｄからの制御を受けて、チューナ２におけるワンセグ放送の受信とフルセグ放送の受信とを制御する。ここで、受信制御部１０ｄの制御によってワンセグ放送およびフルセグ放送の双方を一時的に受信する時間は、少なくともフルセグ放送に対するワンセグ放送の遅延時間に相当する時間とするのが好ましい。
【００２３】
なお、ＯＦＤＭ復調部３、誤り訂正部４、デマルチプレクサ部５、オーディオデコーダ部６、ビデオデコーダ部７およびデータデコーダ部８もチューナ２と同様にダブル構成となっている。すなわち、チューナ２にてワンセグ放送およびフルセグ放送の双方を受信した場合、ＯＦＤＭ復調部３は、チューナ２で受信したワンセグ放送の放送波信号およびフルセグ放送の放送波信号をそれぞれＯＦＤＭ復調してＴＳを得る。誤り訂正部４は、ＯＦＤＭ復調部３により復調されたそれぞれのＴＳに対して、伝送路で発生した誤りの訂正を実行する。
【００２４】
デマルチプレクサ部５は、多重化されているＴＳを分離することにより、ワンセグ放送およびフルセグ放送の双方についてそれぞれ映像ストリーム、音声ストリームおよびデータストリームを得る。そして、デマルチプレクサ部５は、双方の音声ストリームをオーディオデコーダ部６に出力し、双方の映像ストリームをビデオデコーダ部７に出力し、双方のデータストリームをデータデコーダ部８に出力する。
【００２５】
映像表示制御部１０ｅは、切り替え判定部１０ｃによりワンセグ放送からフルセグ放送への切り替えが行われると判定された場合、受信制御部１０ｄの制御によって受信されたフルセグ放送の映像およびワンセグ放送の映像の双方を一時的にディスプレイ２２に表示させた後、フルセグ放送の映像のみをディスプレイ２２に表示させるようにビデオデコーダ部７を制御する。
【００２６】
ビデオデコーダ部７は、デマルチプレクサ部５からワンセグ放送およびフルセグ放送の双方に関する映像ストリームが供給されている間は、当該双方の映像ストリームをデコードし、それによって得られる２つの映像情報をディスプレイ２２に２画面表示させる。その後、デマルチプレクサ部５からフルセグ放送の映像ストリームだけが供給されるようになると、ビデオデコーダ部７はそのフルセグ放送の映像ストリームをデコードし、それによって得られる１つの映像情報をディスプレイ２２に全画面表示させる。
【００２７】
音声出力制御部１０ｆは、切り替え判定部１０ｃによりワンセグ放送からフルセグ放送への切り替えが行われると判定された場合、受信制御部１０ｄの制御によって受信されたフルセグ放送の音声およびワンセグ放送の音声の双方を一時的に異なるスピーカ２１から出力させた後、フルセグ放送の音声のみをスピーカ２１から出力させるようにオーディオデコーダ部６を制御する。
【００２８】
オーディオデコーダ部６は、デマルチプレクサ部５からワンセグ放送およびフルセグ放送の双方に関する音声ストリームが供給されている間は、当該双方の音声ストリームをデコードし、それによって得られる２つの音声情報を左右のスピーカ２１から別々に出力させる。その後、デマルチプレクサ部５からフルセグ放送の音声ストリームだけが供給されるようになると、オーディオデコーダ部６はそのフルセグ放送の音声ストリームをデコードし、それによって得られる１つの音声情報を左右のスピーカ２１から出力させる。
【００２９】
図２および図３は、ワンセグ放送からフルセグ放送への切り替えが行われる際の動作例を模式的に示す図である。なお、図２では説明の便宜上、出力される放送内容を１秒単位で区切って示している。また、ワンセグ放送がフルセグ放送に対して２秒遅延しているものとする。
【００３０】
図２（ａ）は、フルセグ放送とワンセグ放送との切り替え状況を示している。この図２（ａ）に示す例では、フルセグ放送を２秒間受信したところで受信状況が悪化し、ワンセグ放送に切り替えられている。このとき、ワンセグ放送がフルセグ放送に対して２秒遅延しているために、フルセグ放送の１〜２秒目の映像および音声と同じ内容がワンセグ放送でも繰り返し出力されている。ただし、映像および音声の欠落が生じているわけではないので、このタイミングで特に制御は行わない。
【００３１】
ワンセグ放送に切り替えられているときの動作状態が、図３（ａ）に示されている。すなわち、ワンセグ放送の映像情報が全画面表示されるとともに、ワンセグ放送の音声情報が左右のスピーカ２１から出力されている。
【００３２】
図２（ａ）の例では、その後、ワンセグ放送を２秒間受信したところで受信状況が回復し、フルセグ放送に切り替えられている。このとき、フルセグ放送がワンセグ放送よりも２秒進んでいるために、フルセグ放送の３〜４秒目の映像および音声が欠落して出力されないこととなる。図２（ｂ）は、この欠落を補完するための動作状態を示している。
【００３３】
図２（ｂ）に示すように、ワンセグ放送からフルセグ放送への切り替えが行われる場合、ワンセグ放送のフルセグ放送に対する遅延時間（図２の例では２秒）の間、ワンセグ放送およびフルセグ放送の双方を受信する。そして、映像情報をディスプレイ２２に２画面表示するとともに、音声情報を左右のスピーカ２１から別々に出力する。
【００３４】
このときの動作状態が、図３（ｂ）に示されている。すなわち、ワンセグ放送の映像情報が２画面の左側、フルセグ放送の映像情報が２画面の右側に表示されている。また、ワンセグ放送の音声情報が左側のスピーカ２１から出力され、フルセグ放送の音声情報が右側のスピーカ２１から出力されている。
【００３５】
図２（ｂ）に示すように、ワンセグ放送およびフルセグ放送を２秒間出力した後は、フルセグ放送の受信のみに切り替えられる。このときの動作状態が、図３（ｃ）に示されている。すなわち、フルセグ放送の映像情報が全画面表示されるとともに、フルセグ放送の音声情報が左右のスピーカ２１から出力されている。
【００３６】
図４は、上記のように構成した本実施形態による車載用デジタル放送受信装置の動作例を示すフローチャートである。図４に示すフローチャートは、車載用デジタル放送受信装置の電源がオンとされたときに開始する。まず、チャンネル切替部１０ｂは、ワンセグ放送を受信するようにチューナ２を制御する（ステップＳ１）。これにより、図３（ａ）に示したように、ワンセグ放送の映像情報がディスプレイ２２に表示されるとともに、ワンセグ放送の音声情報がスピーカ２１から出力される。
【００３７】
その後、切り替え判定部１０ｃは、チャンネル切替部１０ｂによってワンセグ放送からフルセグ放送への切り替えが行われるか否かを判定する（ステップＳ２）。受信感度検出部１０ａにより検出される受信感度が良好にならず、フルセグ放送への切り替えが行われないと切り替え判定部１０ｃにて判定された場合、処理はステップＳ１に戻る。
【００３８】
一方、チャンネル切替部１０ｂによってワンセグ放送からフルセグ放送への切り替えが行われると切り替え判定部１０ｃにて判定した場合、受信制御部１０ｄは、ワンセグ放送およびフルセグ放送の双方を受信するようにチャンネル切替部１０ｂを制御する。また、図３（ｂ）に示したように、映像表示制御部１０ｅがワンセグ放送およびフルセグ放送の映像情報をディスプレイ２２に２画面表示させるようにビデオデコーダ部７を制御するとともに、音声出力制御部１０ｆがワンセグ放送およびフルセグ放送の音声情報を左右のスピーカ２１から別々に出力させるようにオーディオデコーダ部６を制御する（ステップＳ３）。
【００３９】
次に、受信制御部１０ｄは、ステップＳ３でワンセグ放送とフルセグ放送の同時受信を開始した後、所定時間が経過したか否かを判定する（ステップＳ４）。所定時間が経過していない場合、処理はステップＳ３に戻る。一方、所定時間が経過した場合、受信制御部１０ｄは、フルセグ放送だけを受信するようにチャンネル切替部１０ｂを制御する。また、図３（ｃ）に示したように、映像表示制御部１０ｅがフルセグ放送の映像情報をディスプレイ２２に全画面表示させるようにビデオデコーダ部７を制御するとともに、音声出力制御部１０ｆがフルセグ放送の音声情報を左右のスピーカ２１から出力させるようにオーディオデコーダ部６を制御する（ステップＳ５）。
【００４０】
その後、切り替え判定部１０ｃは、チャンネル切替部１０ｂによってフルセグ放送からワンセグ放送への切り替えが行われるか否かを判定する（ステップＳ６）。受信感度検出部１０ａにより検出される受信感度が悪化せず、ワンセグ放送への切り替えが行われないと切り替え判定部１０ｃにて判定された場合、処理はステップＳ５に戻る。一方、受信感度が悪化した結果、ワンセグ放送への切り替えが行われると切り替え判定部１０ｃにて判定された場合、処理はステップＳ１に戻る。
【００４１】
以上詳しく説明したように、本実施形態では、ワンセグ放送からフルセグ放送への切り替えを行う際、ワンセグ放送およびフルセグ放送の双方を一時的に受信した後、フルセグ放送のみを受信するようにする。そして、フルセグ放送のみに完全に切り替える前に、フルセグ放送の映像とワンセグ放送の映像を一時的にディスプレイ２２に２画面表示させるとともに、フルセグ放送の音声とワンセグ放送の音声を一時的に異なるスピーカ２１から別々に出力させるようにしている。
【００４２】
このように構成した本実施形態によれば、ワンセグ放送からフルセグ放送への切り替えが行われる場合、フルセグ放送に対して遅延しているワンセグ放送の映像や音声が、切り替え後のフルセグ放送の映像や音声と共に一時的に出力され続け、その後フルセグ放送の映像や音声のみの出力へと切り替えられる。そのため、ワンセグ放送からフルセグ放送への切り替えが行われるとき、フルセグ放送のみの出力に直ちに切り替えると生じてしまうワンセグ放送の映像および音声の欠落を防止することができる。
【００４３】
なお、上記実施形態では、ワンセグ放送とフルセグ放送とを同時受信している間、ワンセグ放送の映像とフルセグ放送の映像とを単純に２画面表示させる例について説明したが、本発明はこれに限定されない。例えば、図５に示すように、映像表示制御部１０ｅは、フルセグ放送の映像およびワンセグ放送の映像の双方を一時的に表示させる際に、ワンセグ放送の映像をフェードアウト表示させると同時に、フルセグ放送の映像をフェードイン表示させるようにしてもよい。
【００４４】
また、上記実施形態では、ワンセグ放送とフルセグ放送とを同時受信している間、ワンセグ放送の音声とフルセグ放送の音声とを単純に左右のスピーカ２１から別々に出力させる例について説明したが、本発明はこれに限定されない。例えば、図５に示すように、音声出力制御部１０ｆは、フルセグ放送の音声およびワンセグ放送の音声の双方を一時的に左右のスピーカ２１から出力させる際に、ワンセグ放送の音声をフェードアウト出力させると同時に、フルセグ放送の音声をフェードイン出力させるようにしてもよい。
【００４５】
また、上記実施形態では、ワンセグ放送からフルセグ放送に切り替える際に、ワンセグ放送とフルセグ放送とを、必ず所定時間は同時受信する例について説明したが、本発明はこれに限定されない。例えば、同時受信に切り替えた後、所定時間を経過する前に、電波の受信状況が良好な状態で安定しない場合には、ワンセグ放送のみの受信に戻すようにしてもよい。
【００４６】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００４７】
６  オーディオデコーダ部
７  ビデオデコーダ部
１０  制御部
１０ｂ  チャンネル切替部
１０ｃ  切り替え判定部
１０ｄ  受信制御部
１０ｅ  映像表示制御部
１０ｆ  音声出力制御部
【図１】
2014003352.tif 000003
【図２】
2014003352.tif 000004
【図３】
2014003352.tif 000005
【図４】
2014003352.tif 000006
【図５】
2014003352.tif 000007